(57)【要約】【課題】一枚のバリア部材でレンズフードの開口部を開閉可能に覆うと共に、バリア部材の閉状態でセンサ部の開口部も覆うことができ、かつバリア部材を開いた状態でもレンズフードの光軸方向の全長を短くできる仕組みを提供する。【解決手段】レンズフードは、開口部１０９ａを開閉する方向に回動可能に設けられ、閉じ状態で開口部１０９ａを覆って撮影レンズ１０３を保護するバリア部材１１０と、撮影レンズ１０３の径方向外側に設けられたセンサ部に対応する位置に形成される開口部１１３と、バリア部材１１０を開閉する方向に回動動作させる操作部材１１１と、操作部材１１１の操作に連動して移動する遮蔽部２０８とを備える。操作部材１１１の操作によりバリア部材１１０が開口部１０９ａを閉じる位置に回動したとき、遮蔽部２０８は、開口部１１３を遮蔽する位置に移動し、操作部材１１１の操作によりバリア部材１１０が開口部１０９ａを開く位置に回動したとき、遮蔽部２０８は、開口部１１３から退避する位置に移動する。【選択図】図２
2015169808.tif 000002
【特許請求の範囲】
【請求項１】
撮像装置のレンズ鏡筒の先端部に装着されるレンズフードであって、
第１の開口部と、
前記第１の開口部を開閉する方向に回動可能に設けられ、閉じた状態で前記第１の開口部を覆って前記第１の開口部を介して被写体側に露出する前記レンズ鏡筒の撮影レンズを保護するバリア部材と、
前記レンズ鏡筒の撮影レンズの径方向外側に設けられたセンサ部に対応する位置に形成される第２の開口部と、
前記バリア部材を前記開閉する方向に回動動作させる操作部材と、
前記操作部材の操作に連動して移動する遮蔽部と、を備え、
前記操作部材の操作により前記バリア部材が前記第１の開口部を閉じる位置に回動したとき、前記遮蔽部は、前記第２の開口部を遮蔽する位置に移動し、
前記操作部材の操作により前記バリア部材が前記第１の開口部を開く位置に回動したとき、前記遮蔽部は、前記第２の開口部から退避する位置に移動することを特徴とするレンズフード。
【請求項２】
前記操作部材は、スライド操作されることで前記バリア部材を前記開閉する方向に回動動作させ、
前記遮蔽部は、前記操作部材と一体にスライド移動するスライド部材に設けられることを特徴とする請求項１に記載のレンズフード。
【請求項３】
前記バリア部材は、前記スライド部材とのカム係合により、前記操作部材のスライド操作により前記開閉する方向に回動動作することを特徴とする請求項２に記載のレンズフード。
【請求項４】
レンズ鏡筒の先端部にレンズフードが装着される撮像装置であって、
前記レンズフードとして請求項１乃至３のいずれか一項の記載のレンズフードを備えることを特徴とする撮像装置。
【請求項５】
前記センサ部は、測距センサ、発光素子、受光素子又はマイクロフォンであることを特徴とする請求項４に記載の撮像装置。
【発明の詳細な説明】
【技術分野】
【０００１】
本発明は、例えばデジタルカメラやデジタルビデオカメラ等の撮像装置のレンズ鏡筒に装着されるレンズフード、及びレンズフードを備える撮像装置に関する。
【背景技術】
【０００２】
デジタルカメラやデジタルビデオカメラ等の撮像装置では、入射する有害光を遮光するレンズフードをレンズ鏡筒の先端部に装着したものがある。また、有害光を遮光する機能に加えて、被写体側に露出する撮影レンズを保護するとともに、未使用時に撮影レンズに集光して装置内部が高温になることを防ぐためのバリア機能を備えるレンズフードが提案されている（特許文献１）。
【先行技術文献】
【特許文献】
【０００３】
【特許文献１】特開２００５−１７５２３号公報
【発明の概要】
【発明が解決しようとする課題】
【０００４】
上記特許文献１では、レンズフードの上下にそれぞれバリア部材を有しているため、部品点数が多くなり、構造の複雑化やコスト高を招く。また、上下のバリア部材がそれぞれ上下方向に開閉するため、上下ともに製品高さが必要となってしまう。そのため、撮影レンズの光軸中心よりも下側の寸法が短い製品には使用できない。この場合、一枚のバリア部材でレンズフードの開口部（撮影レンズ用の開口部）を開閉可能に覆うことが考えられる。
【０００５】
しかし、測距センサ等のセンサ部を撮影レンズの外側に設けたレンズ鏡筒では、レンズフードにセンサ部用の開口部を設ける必要があるため、バリア部材を閉じた状態でも、センサ部用の開口部から異物が侵入してしまうことになる。
【０００６】
また、バリア部材を閉じた際に、バリア部材でセンサ部の開口部を覆うようにバリア部材を大きくしてしまうと、バリア部材を開いた際に、レンズフード全体の光軸方向の長さが長くなってしまう。
【０００７】
更に、長くなったレンズフードが撮影レンズの光路を遮らないようにするため、撮影レンズが径方向に大型化してしまい、撮像装置の小型化を妨げる原因になってしまう。
【０００８】
そこで、本発明は、一枚のバリア部材でレンズフードの開口部を開閉可能に覆うと共に、バリア部材の閉状態でセンサ部の開口部も覆うことができ、かつバリア部材を開いた状態でもレンズフードの光軸方向の全長を短くできる仕組みを提供することを目的とする。
【課題を解決するための手段】
【０００９】
上記目的を達成するために、本発明は、撮像装置のレンズ鏡筒の先端部に装着されるレンズフードであって、第１の開口部と、前記第１の開口部を開閉する方向に回動可能に設けられ、閉じた状態で前記第１の開口部を覆って前記第１の開口部を介して被写体側に露出する前記レンズ鏡筒の撮影レンズを保護するバリア部材と、前記レンズ鏡筒の撮影レンズの径方向外側に設けられたセンサ部に対応する位置に形成される第２の開口部と、前記バリア部材を前記開閉する方向に回動動作させる操作部材と、前記操作部材の操作に連動して移動する遮蔽部と、を備え、前記操作部材の操作により前記バリア部材が前記第１の開口部を閉じる位置に回動したとき、前記遮蔽部は、前記第２の開口部を遮蔽する位置に移動し、前記操作部材の操作により前記バリア部材が前記第１の開口部を開く位置に回動したとき、前記遮蔽部は、前記第２の開口部から退避する位置に移動することを特徴とする。
【発明の効果】
【００１０】
本発明によれば、一枚のバリア部材でレンズフードの開口部を開閉可能に覆うとともに、バリア部材の閉状態でセンサ部用の開口部も覆うことができ、かつバリア部材を開いた状態でもレンズフードの光軸方向の全長を短くすることができる。これにより、センサ部用の開口部から異物が侵入するのを回避することができるとともに、レンズフードを装着した状態の撮像装置全体をコンパクトにすることができ、ユーザの利便性・携帯性を向上させることができる。
【図面の簡単な説明】
【００１１】
【図１】本発明の実施形態であるレンズフードが装着される撮像装置の一例としてのデジタルビデオカメラを正面側から見た斜視図である。
【図２】（ａ）は、図１に示すデジタルビデオカメラのレンズ鏡筒の先端部に装着されたレンズフードのバリア部材を開いた状態を示す斜視図である。（ｂ）は、図１に示すデジタルビデオカメラのレンズ鏡筒の先端部に装着されたレンズフードのバリア部材を閉じた状態を示す斜視図である。
【図３】（ａ）はバリア部材が閉じた状態でのレンズフードを正面側から見た斜視図、（ｂ）は（ａ）の背面側から見た斜視図である。
【図４】（ａ）は図３（ｂ）に示す状態のレンズフードに対して後カバーを取り外した状態を示す斜視図、（ｂ）は（ａ）の状態からバリア部材を開いた状態を示す斜視図である。
【図５】（ａ）はバリア部材が閉じた状態での操作ノブ、スライド部材及びバリア部材の関係を示す図、（ｂ）はバリア部材が開いた状態での操作ノブ、スライド部材及びバリア部材の関係を示す図である。
【図６】（ａ）は閉じ状態でのバリア部材を背面側から見た図、（ｂ）は（ａ）を底面側から見た図である。
【図７】（ａ）はバリア部材が開いた状態でのレンズフードを正面側から見た図、（ｂ）は（ａ）のＡ−Ａ線断面図である。
【図８】（ａ）はバリア部材が閉じた状態でのレンズフードを正面側から見た図、（ｂ）は（ａ）のＡ−Ａ線断面図である。
【発明を実施するための形態】
【００１２】
以下、図面を参照して、本発明の実施形態の一例を説明する。
【００１３】
図１は、本発明の実施形態であるレンズフードが装着される撮像装置の一例としてのデジタルビデオカメラを正面側から見た斜視図である。図２（ａ）は、図１に示すデジタルビデオカメラのレンズ鏡筒の先端部に装着されたレンズフードのバリア部材を開いた状態を示す斜視図である。図２（ｂ）は、図１に示すデジタルビデオカメラのレンズ鏡筒の先端部に装着されたレンズフードのバリア部材を閉じた状態を示す斜視図である。
【００１４】
本実施形態のデジタルビデオカメラは、図１及び図２に示すように、カメラ本体１００の正面側（被写体側）にレンズ鏡筒１０１が設けられる。カメラ本体１００を正面側から見て右側の側部には、表示ユニット１０４が開閉可能に設けられ、カメラ本体１００を正面側から見て左側の側部には、把持部１０５が設けられる。また、レンズ鏡筒１０１の被写体側に露出する撮影レンズ１０３の径方向外側（図の下側）は、開口部１０６が形成され、開口部１０６内には、測距センサや発光素子、受光素子、マイクロフォン等のセンサ部が配置されている。
【００１５】
レンズ鏡筒１０１の先端部には、回転操作リング１０８が設けられ、回転操作リング１０８の先端側には、レンズフード１０９に係合する係合部１０７が径方向に対向して２カ所設けられている。
【００１６】
レンズフード１０９は、レンズ鏡筒１０１の撮影レンズ１０３に入射する有害光を遮光する機能と、被写体側に露出する撮影レンズ１０３を保護するとともに、未使用時に撮影レンズ１０３内に集光して内部が高温になることを防ぐバリア機能を備える。レンズフード１０９の開口部１０９ａの下方には、センサ部用の開口部１１３がレンズ鏡筒１０１の開口部１０６に対応して形成されている。レンズフード１０９の開口部１０９ａは、本発明の第１の開口部の一例に相当する。
【００１７】
また、レンズフード１０９には、バリア部材１１０が開口部１０９ａを開閉する方向に回動可能に設けられる。レンズフード１０９の側部には、本発明の操作部材として機能する操作ノブ１１１が設けられる。操作ノブ１１１は、ガイド部１１２に沿って上下方向にスライド操作が可能に構成されている。
【００１８】
操作ノブ１１１を図の下側にスライド操作すると、バリア部材１１０が下側の回動軸３０１（図５参照）を中心に下方（開方向）に回動してレンズフード１０９の開口部１０９ａが開放され、図２（ａ）に示すように、撮影レンズ１０３が露出する。
【００１９】
また、図２（ａ）の状態で操作ノブ１１１を図の上側にスライド操作すると、バリア部材１１０が上方（閉方向）に回動してレンズフード１０９の開口部１０９ａが閉じられ、図２（ｂ）に示すように、撮影レンズ１０３が覆われる。
【００２０】
図３（ａ）はバリア部材１１０が閉じた状態でのレンズフード１０９を正面側から見た斜視図、図３（ｂ）は図３（ａ）の背面側から見た斜視図である。
【００２１】
図３（ａ）に示すように、レンズフード１０９は、前カバー２０１、後カバー２０２、操作ノブ１１１、バリア部材１１０、スライド部材２０５（図４参照）及びダンパ２０６（図４参照）を備える。レンズフード１０９の後カバー２０２の背面側には、図３（ｂ）に示すように、レンズ鏡筒１０１の２カ所の係合部１０７に係合する係合爪２０３が径方向に対向して２カ所設けられている。また、後カバー２０２には、レンズ鏡筒１０１の開口部１０６の正面側で前カバー２０１に形成された開口部１１３と同様のセンサ部用の開口部２０４が形成されている。開口部１１３，２０４は、本発明の第２の開口部の一例に相当する。
【００２２】
図４（ａ）は図３（ｂ）に示す状態のレンズフード１０９から後カバー２０２を取り外した状態を示す斜視図、図４（ｂ）は図４（ａ）の状態からバリア部材１１０を開いた状態を示す斜視図である。
【００２３】
図４（ａ）及び図４（ｂ）に示すように、スライド部材２０５は、操作ノブ１１１に接続され、操作ノブ１１１のスライド操作に連動して一体にスライド移動する。ダンパ２０６は、スライド部材２０５がスライド移動する際の動きを緩和する。操作ノブ１１１は、後カバー２０２と前カバー２０１との間に挟まれた状態で後カバー２０２に設けられたガイド部１１２に沿って上下方向にスライド操作が可能に構成されている。
【００２４】
スライド部材２０５は、略Ｌ字状に形成され、バリア係合部２０７と遮蔽部２０８を有する。前述したように、操作ノブ１１１を図の上方向にスライド操作すると、バリア部材１１０が閉じ方向に回動し、操作ノブ１１１を図の下方向にスライド操作すると、バリア部材１１０は開く方向に回動する。遮蔽部２０８は、スライド部材２０５の一部であるため、操作ノブ１１１とともに上下動する構成となる。したがって、遮蔽部２０８は、バリア部材１１０の閉じ状態で開口部１１３，２０４を覆い、バリア部材１１０の開き状態で開口部１１３，２０４から退避する。
【００２５】
このように構成することで、バリア部材１１０が閉じているときには開口部１１３，２０４が遮蔽部２０８に覆われる為、レンズフード１０９がレンズ鏡筒１０１に装着された状態でも、開口部１１３，２０４からゴミ等の異物の侵入等がなく、内部が保護される。
【００２６】
また、開口部１１３，２０４の開閉が、スライド部材２０５と一体の遮蔽部２０８の上下動によって行われるため、遮蔽専用の部材を別途必要としない。そのため、新たな部材を追加することなく、センサ部用の開口部１１３，２０４の遮蔽と開放を実現することができる。
【００２７】
次に、図５を参照して、スライド部材２０５の上下動によるバリア部材１１０の開閉動作について説明する。図５（ａ）はバリア部材１１０が閉じた状態での操作ノブ１１１、スライド部材２０５及びバリア部材１１０の関係を示す図、図５（ｂ）はバリア部材１１０が開いた状態での操作ノブ１１１、スライド部材２０５及びバリア部材１１０の関係を示す図である。
【００２８】
操作ノブ１１１は、スライド部材２０５に不図示のねじや圧入等で固定され、スライド部材２０５と一体に上下動する。バリア部材１１０は、回動軸３０１を中心に開閉方向に回動動作を行う。バリア部材１１０の側部には、カム係合軸３０２が設けられ、カム係合軸３０２は、スライド部材２０５のバリア係合部２０７に形成されたカム溝２０７ａに係合する。これにより、スライド部材２０５が上下動すると、バリア部材１１０のカム係合軸３０２が回動軸３０１を中心とした回転軌跡３０３で回動軸３０１周りを移動し、バリア部材１１０が回動動作する。
【００２９】
次に、図６を参照して、バリア部材１１０の形状について説明する。図６（ａ）は閉じ状態でのバリア部材１１０を背面側から見た図、図６（ｂ）は図６（ａ）を底面側から見た図である。
【００３０】
バリア部材１１０は、図６（ａ）に示すように、回動中心に設けられた回動軸３０１と、閉じ状態でレンズ鏡筒１０１の撮影レンズ１０３を覆って保護するレンズ保護部４０２とを有する。レンズ保護部４０２の背面側には、不要光反射防止処理により遮光部５０４が設けられている。レンズ保護部４０２は、図６（ｂ）に示すように、被写体側に向けて湾曲する円弧面４０３を有する。この円弧面４０３によりレンズ保護部４０２の背面側に形成される空間領域４０３ａには、センサ部の光路通過領域４０４が含まれる。
【００３１】
このセンサ部の光路通過領域４０４を含む空間領域４０３ａは、バリア部材１１０の閉じ状態において、カメラ本体１００の高さ方向に延びる略円弧柱形状になる。なお、光路通過領域４０４を含む空間領域４０３ａの形状は、光路通過領域４０４を含む限りにおいて、特に限定されず、例えば矩形柱形状でもあってもよい。
【００３２】
次に、図７及び図８を参照して、センサ部の光路通過領域４０４について説明する。図７（ａ）はバリア部材１１０が開いた状態でのレンズフード１０９を正面側から見た図、図７（ｂ）は図７（ａ）のＡ−Ａ線断面図である。図８（ａ）はバリア部材１１０が閉じた状態でのレンズフード１０９を正面側から見た図、図８（ｂ）は図８（ａ）のＡ−Ａ線断面図である。
【００３３】
図７及び図７（ｂ）に示すように、前カバー２０１には、レンズ鏡筒１０１の撮影レンズ１０３に入射する有効光領域５０２に沿って凹凸状の遮光部５０１が設けられている。バリア部材１１０が開いた状態では、前述したように、スライド部材２０５の遮蔽部２０８は、センサ部用の開口部１１３，２０４から退避して開口部１１３，２０４が開放されている。開口部１１３，２０４からはセンサ部の光路５０３（図中斜線部）が形成されている。
【００３４】
バリア部材１１０は、開いた状態で有効光領域５０２及びセンサ部の光路５０３に干渉しないように配置され、センサ部の光路５０３には、光路通過領域４０４が配置される。また、前述したように、閉じた状態でのバリア部材１１０の背面側は、前カバー２０１の遮光部５０１と同様の遮光部５０４が設けられている。従って、遮光部５０４は、バリア部材１１０が開いた状態で図７の上面側に配置され、これにより、不要光反射が防止される。
【００３５】
図８（ａ）及び図８（ｂ）に示すように、バリア部材１１０が閉じた状態では、前述したように、スライド部材２０５の遮蔽部２０８は、センサ部用の開口部１１３，２０４を覆って開口部１１３，２０４が遮蔽されている。バリア部材１１０の回動軸３０１の中心は、センサ部の光路５０３の図８の下側位置より上方に配置されている。
【００３６】
回動軸３０１の中心をセンサ部の光路５０３の下方に配置すると、バリア部材１１０に光路通過領域４０４を設ける必要はなくなるが、バリア部材１１０の長さが長くなる。このため、バリア部材１１０を開いた状態でのレンズフード１０９全体の光軸方向の長さが長くなり、レンズフード１０９ひいてはレンズフード１０９が装着されたカメラが大型化してしまう。
【００３７】
また、バリア部材１１０が閉じた状態でセンサ部の光路通過領域４０４を塞ぐように、前カバー２０１に庇部５０５を設けることで、バリア部材１１０を閉じた状態でゴミ等の異物が侵入することを防止している。庇部５０５にも、バリア部材１１０や前カバー２０１と同様に遮光部５０６が設けられている。
【００３８】
以上説明したように、本実施形態では、一枚のバリア部材１１０でレンズフード１０９の開口部１０９ａを開閉可能に覆うとともに、バリア部材１１０の閉状態でセンサ部用の開口部１１３，２０４も覆うことができる。また、バリア部材１１０を開いた状態でもレンズフード１０９の光軸方向の全長を短くすることができる。これにより、センサ部用の開口部１１３，２０４から異物が侵入するのを回避することができるとともに、レンズフード１０９を装着した状態のカメラ全体をコンパクトにすることができ、ユーザの利便性・携帯性を向上させることができる。
【００３９】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００４０】
１００  カメラ本体
１０１  レンズ鏡筒
１０３  撮影レンズ
１０９  レンズフード
１０９ａ  開口部
１１０  バリア部材
１１３  センサ部用開口部
２０１  前カバー
２０２  後カバー
２０４  センサ部用開口部
【図１】
2015169808.tif 000003
【図２】
2015169808.tif 000004
【図３】
2015169808.tif 000005
【図４】
2015169808.tif 000006
【図５】
2015169808.tif 000007
【図６】
2015169808.tif 000008
【図７】
2015169808.tif 000009
【図８】
2015169808.tif 000010